(57)【要約】      （修正有）【課題】放熱部品において発熱源である電子部品を挟持固定する挟持力を調整可能とする。【解決手段】放熱部品の固定挟持片とこれに対する可動挟持片５、調整ネジ３を具えた調整ギア桿４、調整ギアから構成する。調整ギア桿は、固定挟持片の軸孔１２１を通して回転可能に支持され、桿上のウオームギア４１と噛合う調整ギアのギア歯２２を回動して調整ギアの固定軸２１１を回転し、そのネジ２１１１を固定挟持片に相対する可動挟持片の内ネジを設けた軸孔５２１に挿入、螺合して両者の間隔を調整することにより、その間に挟持する発熱源の電子部品メモリー６に対する挟持力を調整する。【選択図】図１
0003139465.tif 000002
【実用新案登録請求の範囲】
【請求項１】
固定挟持片と可動挟持片とにより電子部品を挟持固定して放熱する放熱片の構造において、
固定挟持片は、下方内側面を電子部品との接触面とし、その上方両側に該挟持片全長にわたる軸フレームを配置してその挟持片内側に軸孔を設け、
可動挟持片は、該固定挟持片と平行に配置して、下方内側面を電子部品との接触面とし、その上方両側に該挟持片全長にわたる軸フレームを配置して挟持片内側に軸孔を設け、さらに可動挟持片内側に内ネジを形成した軸孔を設け、
さらに、固定挟持片内側の軸フレームのこれらの軸孔にウオーム歯を設けた調整ギア桿を挿通して回転可能に支持し、
該ウオーム歯に噛合うギア歯を外周に具えた調整ギアの固定軸に上記可動挟持片に設けた内ネジと相互に噛合う外ネジを設けて
調整ギア桿の回転により該調整ギアを駆動回転して、その外ネジを設けた固定軸と可動挟持片の内ネジとの噛合いにより、固定挟持片と可動挟持片の間隔を調整可能として、発熱部品に対する挟持力を調整可能としたことを特徴とする電子部品用放熱片。
【請求項２】
前記調整ギアは、ラチェットギアにより構成することを特徴とする請求項１記載の電子部品用放熱片。
【請求項３】
前記調整ギア桿上に設置したウォーム歯は、梯形歯で滑動を防止するようにしたことを特徴とする請求項１記載の電子部品用放熱片。
【請求項４】
前記調整ギア桿は、そこに傘歯ギアを増設したことを特徴とする請求項１記載の放電子部品用放熱片。
【請求項５】
前記調整ギアを、傘歯ギアとしたことを特徴とする請求項１記載の放熱片の構造。
【請求項６】
前記笠歯ギアは、垂直に噛合う配置としたことを特徴とする請求項４，５記載の電子部品用放熱片。
【請求項７】
前記調整ギア桿は、少なくとも一端に調整ネジを設置したことを特徴とする請求項１記載の電子部品用放熱片。
【考案の詳細な説明】
【技術分野】
【０００１】
本考案は、メモリーに用いる放熱部品に関し、特にメモリー外部で使用する放熱部品を設置し、メモリーに対して放熱を行い、内部のチップを保護してメモリーが高温で壊れないようにするものである。
【背景技術】
【０００２】
現在、科学技術産業は新型演算機能を開発して更に高度な電子設備に発展している。演算機能及び演算速度が高まると同時に、内部の発熱源部品はそれに連れて更に多量の熱を発生するようになる。そのため，各発熱源上には放熱モジュールを更に設置して各発熱源の温度を下げることが目下主要な発展のための重点事項である。メモリーのアクセス速度が高まるにつれ、相対的の消費電流は大きくなり、発生する熱量も多くなる。電子設備内の計算ユニットの熱量は上がるばかりで温度が下がる時がない。軽度の障害でもフリーズ現象もしくは処理効率低下を生じ、ひどい場合には計算ユニットが壊れる現象が起きる事もある。公知案件に於いて計算ユニットのメモリー上に設置された放熱部品には以下に様なものである。
【０００３】
放熱ユニットは、下向きの「コ」の字型で一体成型した放熱片、もしくは二つを相対分離した放熱片とする。これらを電子部品に対して設置するか、もしくは挟持方式でメモリーをその挟持部品の間に挟む。挟持具ユニットは、少なくとも挟持具を含み、二放熱片及びメモリーを予め挟んで固定する。
【特許文献１】特開２００６−２３７１４７号公報
【考案の開示】
【考案が解決しようとする課題】
【０００４】
解決しようとする問題点は、公知の放熱効果を具えたメモリーでは、放熱部品を設置する時に設置しにくく、且つ設置後挟持ユニットが提供する挟持力が調節できないため、挟持力が弱すぎると放熱ユニットを確実に固定できず、また挟持力強すぎると、メモリー上のICチップもしくは回路版を壊してしまう。更にｍこの挟持ユニットは着脱を繰り返すと、弾性挟持力を失い、弾性疲労した状態になり、挟持力を失ってしまう点を解決することである。
【課題を解決するための手段】
【０００５】
本考案は、固定挟持片、可動挟持片、調整ネジを具えた調整ギア桿、調整ギアからなる。これらのうち、調整ギア桿は、固定挟持片上に枢設して調整ギアを動かして回転する。また調整ギアは固定挟持片と可動挟持片の間に螺設し、調整ネジを回転することにより、直接調整ギア桿を同じ方向に回転させ、調整ギア桿を調整して調整ギア上に設置したウォーム歯とギア歯が相互に噛み合い、それによって調整ギアを回転させて可動挟持片を固定挟持片の方向へ移動させることを最も主要な特徴とする。
【考案の効果】
【０００６】
本考案の放熱片の構造は、設置及び取外しが簡単であること、部品の設計が簡単でコストが低くなること、重複使用が可能であること、ユーザーの必要に応じて微調整ができ、設置もしくは取外しの時にメモリーを傷つけないこと、安定して挟持可能で緩まないという利点がある。
【考案を実施するための最良の形態】
【０００７】
上述の欠点を改善するため、本考案を提供する。
本考案の主な目的は、メモリー上に放熱片構造を設置することで、その放熱片構造は以下の構成からなる。
放熱ユニットは、放熱效果を具えた両放熱挟持片で、その放熱挟持片は相互に平衡に設置する。
調整ギア桿は、放熱ユニットの放熱挟持片上に可動枢設する。
調整ギアは、放熱ユニットの両放熱挟持片の間に設置し、その調整ギアの外周に設置した歯がちょうど調整ギア桿と相互に噛み合い、且つその調整ネジは固定於放熱挟持片上の一端に設置したネジ紋と放熱挟持片上のネジ紋孔に固定して相互に結合する。放熱片構造をメモリー上に設置する場合、先ず調整ギア桿を回転し、その調整ギア桿が回転すると、調整ギアも共に回転する。調整ギアは更に調整ギアの固定端上に設置したネジ紋まで回転し、同時に放熱挟持片上のネジ紋孔を動かして別の一放熱挟持片を作動させ、両放熱挟持片を適度な幅に調節した後、メモリー表面と軽く接触させる。調整ギア桿を微調整して両放熱挟持片をメモリー外部のサイズの大きさに合わせ、両放熱挟持片の距離を調整し、メモリーをしっかりと挟持固定する。
〔実施例〕
【０００８】
上述の目的及び効果を達成するため、本考案採用の技術手段および構造を実施例の説明その特徴と機能を下述する。
【０００９】
第１図に示すのは、本考案実施例の立体分解図であり、図に示すとおり、放熱片の構造は以下の構造からなる。
【００１０】
固定挟持片１両側に軸フレーム１２が設置される。この軸フレーム１２には軸孔１２１が設置され、固定挟持片１上端内側には内側面１３が形成され、その内側面１３上には少なくとも一軸孔１３１が設けられる。この他、固定挟持片１の下端内側に設置した一接触面１１は、固定挟持片１と発熱源が接触する部位に対応する。
【００１１】
可動挟持片５にも、その両端に軸フレーム５１が設置される。その軸フレーム５１には凹槽５１１を設け、且つ軸フレーム５１を突き抜ける。この可動挟持片５上端内側には内側面５２が設けられ、その内側面５２には内にネジ紋を設置した軸孔５２１が形成され、別に可動挟持片５下端内側に設置した一接触面５３は可動挟持片５と発熱源が接触する部位に対応する。
【００１２】
調整ギア桿４は、その桿上にウォーム歯４１を設け、且つ調整ギア桿４の前端４２から軸フレーム１２上に設けた軸フレーム１２の軸孔１２１に差し込んで両端で枢設支持し、さらに調整ギア桿４の一端には調整ネジ３を設ける。
【００１３】
調整ギア２は、外周に等間隔に複数個のギア歯２２を、外周を取り囲んで設け、その調整ギア２の左右両側端面にはそれぞれ固定軸２１１、２１２を設け、この固定軸２１１上にはネジ紋２１１１が形成される。調整ギア２は、固定軸２１２を、固定挟持片１内側面１３上に設けた軸孔１３１に差し込んで軸孔１３１に枢設し、他の固定軸２１１は外周に設けたネジ紋２１１１を可動挟持片５の軸孔５２１内の内ネジに螺合する。
【００１４】
第１、２、３図に示すとおり、この調整ネジ３を時計回りに回転させると、調整ネジ３と結合した調整ギア桿４を同時に時計回りに回転させる。調整ギア桿４上に設けウォーム歯４１は、調整ギア２外周のギア歯２２と噛み合って動かし、調整ギア２を反時計回りに回転させる。調整ギア２が時計と逆周りに回転した時、端面に設けた固定軸２１１もまた共に反時計回りに回転する。この時、固定軸２１１はその上に設けたネジ紋２１１１もまた固定軸２１１と共に反時計回りに回転して可動挟持片に設けた軸孔５２１内に入り、ネジ紋２１１１と内ネジ紋５２１１が噛みあうことにより、可動挟持片５は固定挟持片１に向けて移動し、両者の間の間隔が徐々に狭まる。調整ネジ３を時計と逆周りに回転すると、調整ネジ３と共にこれら追動部品はすべて時計回りに作動し、且つ可動挟持片５と固定挟持片1の間の間隔は拡大する。可動挟持片５下端内側に設けた接触面５３と固定挟持片１の下端内側の接触面１１は、発熱する電子部品であるメモリー６と接触結合する部位として、調整ネジ３が時計回りもしくは時計と逆回りに回転することによって、両接触面とメモリー６の結合密着度を適度に調整する。
【図面の簡単な説明】
【００１５】
【図１】本考案の実施例の立体分解図である。
【図２】本考案の実施例の構造作動図である。
【図３】本考案の実施例の立体組立図である。
【符号の説明】
【００１６】
１        固定挟持片
１１        接触面
１２        軸フレーム
１２１        軸孔
１３        内側面
１３１        軸孔
２        調整ギア
２１        端面
２１１        固定軸
２１２        固定軸
２１１１        ネジ紋
２２        ギア歯
３        調整ネジ
４        調整ギア桿
４１        ウォーム歯
４２        前端
５        可動挟持片
５１        軸フレーム
５１１        軸孔
５２        内側面
５２１        軸孔
５２１１        内ネジ紋
５３        接触面
６        メモリー
【図１】
0003139465.tif 000003
【図２】
0003139465.tif 000004
【図３】
0003139465.tif 000005
【手続補正書】
【提出日】平成19年11月28日(2007.11.28)
【手続補正１】
【補正対象書類名】実用新案登録請求の範囲
【補正対象項目名】請求項５
【補正方法】変更
【補正の内容】
【請求項５】
前記調整ギアを、傘歯ギアとしたことを特徴とする請求項１記載の電子部品用放熱片。